(57)【要約】【課題】細径の電線を正確且つ安定的に狭持可能な被覆貫通クランプ用スペーサを提供する。【解決手段】本発明は、幅広溝が設けられた上顎部と、幅広溝に接近及び離間可能に対向配置されると共に幅広溝に接近した状態において幅広溝との間で電線を狭持する下顎部と、を備え、上顎部が幅広溝を規定する第一の内周面、及び、下顎部との間で幅広溝に対して電線を出し入れする出入口を形成する第二の内周面を含む被覆貫通クランプに着脱可能な被覆貫通クランプ用スペーサであって、幅狭溝が設けられた本体部と、本体部に接続された先端部と、を備え、被覆貫通クランプに固定された状態において、本体部は、幅狭溝が下顎部と対向するように上顎部の第一の内周面の内側に配置され、先端部は、上顎部の第二の内周面の延びる方向に延びると共に、出入口を狭くすべく、第二の内周面と下顎部との間に配置される、ことを特徴とする。【選択図】図１
2020004495.tif 000002
【特許請求の範囲】
【請求項１】
内側に幅広溝が設けられた上顎部と、前記幅広溝に接近及び離間可能に対向配置されると共に該幅広溝に接近した状態において該幅広溝との間で電線を狭持する下顎部と、を備える被覆貫通クランプであって、前記上顎部の内周面が前記幅広溝を規定する第一の内周面、及び、該第一の内周面から外方に延びると共に前記下顎部との間で前記幅広溝に対して電線を出し入れする出入口を形成する第二の内周面を含む被覆貫通クランプに着脱可能な被覆貫通クランプ用スペーサであって、
前記被覆貫通クランプに固定可能な固定部と、
前記固定部に接続され、且つ、内側に前記幅広溝よりも幅の狭い幅狭溝が設けられた本体部と、
前記本体部に接続された先端部と、
を備え、
前記固定部が前記被覆貫通クランプに固定された状態において、
前記本体部は、前記幅狭溝が前記下顎部と対向するように前記上顎部の前記第一の内周面の内側に配置され、
前記先端部は、前記上顎部の前記第二の内周面の延びる方向に延びると共に、前記出入口を狭くすべく、前記第二の内周面と前記下顎部との間に配置される、被覆貫通クランプ用スペーサ。
【請求項２】
前記固定部は、互いに接近及び離間可能に構成され、接近した状態において前記上顎部の厚み方向における両側面に引っ掛かることで前記上顎部に固定される一対の爪部を含む、請求項１に記載の被覆貫通クランプ用スペーサ。
【請求項３】
前記上顎部の両側面には凹部が形成されており、前記一対の爪部は前記両側面の凹部に嵌合係止するように構成されている、請求項２に記載の被覆貫通クランプ用スペーサ。
【発明の詳細な説明】
【技術分野】
【０００１】
本発明は、電線からバイパス線等を引き出すときに使用され且つ電線の被覆を貫通する接触刃を備えるクランプに着脱可能な被覆貫通クランプ用スペーサに関する。
【背景技術】
【０００２】
従来、架空電線等からバイパス線や接地線を引き出すため使用されるクランプが知られている（特許文献１）。例えば、クランプは、図１４に示すように、可動接触台３１２と、可動接触台３１２を上昇させるノブ３６１と、可動接触台３１２と共に電線を狭持可能な電線保持部３１０と、可動接触台３１２に設けられた接触刃３１１と、接触刃３１１に電気的に接続された端子取付け部３１７と、を備える。また、クランプ３０１は、ピン３２０により電線保持部３１０に接続された電線保持板３０２を備える。このクランプ３０１では、可動接触台３１２が上昇することで、接触刃３１１が電線の被覆（絶縁被覆）に接触してこの被覆を貫通する。
【０００３】
電線保持部３１０には、通常の電線の径と略等しい幅を有する凹溝３１５が設けられている。電線保持板３０２には、凹溝３１５の幅よりも狭く且つ細径の電線の径と略等しい幅を有する凹溝３２３が設けられている。また、電線保持板３０２は、ピン３２０を中心に回動することにより、電線保持部３１０と重なる姿勢と、電線保持部３１０と重ならない姿勢とを取り得る。このクランプ３０１において電線保持板３０２の姿勢を電線の径に応じて変化させることで、太径、細径いずれの電線も安定的にクランプ３０１に狭持される。例えば、細径の電線の被覆を貫通する場合、電線保持板３０２を電線保持部３１０に重ねると、細径の電線が、幅の狭い電線保持板３０２の凹溝３２３で挟まれるため、安定的にクランプ３０１に狭持される。
【先行技術文献】
【特許文献】
【０００４】
【特許文献１】特開平９−３３０７４９号公報
【発明の概要】
【発明が解決しようとする課題】
【０００５】
前記クランプ３０１では、電線保持板３０２が電線保持部３１０と重なる状態において、太径の電線を可動接触台３１２に載置することができる構成であるため、細径の電線を狭持すべきところを太径の電線を狭持してしまうとの誤りが生じるおそれがある。
【０００６】
本発明は、細径の電線を正確且つ安定的に狭持可能な被覆貫通クランプ用スペーサを提供することを目的とする。
【課題を解決するための手段】
【０００７】
本発明の被覆貫通クランプ用スペーサは、内側に幅広溝が設けられた上顎部と、前記幅広溝に接近及び離間可能に対向配置されると共に該幅広溝に接近した状態において該幅広溝との間で電線を狭持する下顎部と、を備える被覆貫通クランプであって、前記上顎部の内周面が前記幅広溝を規定する第一の内周面、及び、該第一の内周面から外方に延びると共に前記下顎部との間で前記幅広溝に対して電線を出し入れする出入口を形成する第二の内周面を含む被覆貫通クランプに着脱可能な被覆貫通クランプ用スペーサであって、前記被覆貫通クランプに固定可能な固定部と、前記固定部に接続され、且つ、内側に前記幅広溝よりも幅の狭い幅狭溝が設けられた本体部と、前記本体部に接続された先端部と、を備え、前記固定部が前記被覆貫通クランプに固定された状態において、前記本体部は、前記幅狭溝が前記下顎部と対向するように前記上顎部の前記第一の内周面の内側に配置され、前記先端部は、前記上顎部の前記第二の内周面の延びる方向に延びると共に、前記出入口を狭くすべく、前記第二の内周面と前記下顎部との間に配置される。
【０００８】
かかる構成によれば、スペーサがクランプに取り付けられた状態において、幅狭溝が下顎部と対向配置されるため、該幅狭溝に細径の電線を安定的に狭持可能である。また、このスペーサがクランプに取り付けられた状態において、スペーサの先端部が下顎部と第二の内周面の間において出入口を狭くするように配置されるため、出入口からの太径の電線の侵入を抑えることができる。
【０００９】
また、前記被覆貫通クランプ用スペーサでは、前記固定部は、互いに接近及び離間可能に構成され、接近した状態において前記上顎部の厚み方向における両側面に引っ掛かることで前記上顎部に固定される一対の爪部を含んでもよい。
【００１０】
かかる構成によれば、スペーサにおける一対の爪部がクランプの上顎部の両側面に引っ掛かることにより、スペーサがクランプに安定的に取り付けられる。
【００１１】
さらに、前記被覆貫通クランプ用スペーサでは、前記上顎部の両側面には凹部が形成されており、前記一対の爪部は前記両側面の凹部に嵌合係止するように構成されてもよい。
【００１２】
かかる構成によれば、上顎部の両側面の凹部に一対の爪部がそれぞれ嵌合係止することで、スペーサがクランプに確実に取り付けられる。
【発明の効果】
【００１３】
以上より、本発明によれば、細径の電線を正確且つ安定的に狭持可能な被覆貫通クランプ用スペーサを提供することができる。
【図面の簡単な説明】
【００１４】
【図１】図１は、本実施形態に係る被覆貫通クランプ用スペーサを被覆貫通クランプに取り付けた状態の構成を示す側面図である。
【図２】図２は、図１の前記被覆貫通クランプスペーサ周辺の構成を示す拡大図である。
【図３】図３は、前記被覆貫通クランプの構成を示す側面図である。
【図４】図４は、前記被覆貫通クランプ用スペーサの構成を示す上面図である。
【図５】図５は、前記被覆貫通クランプ用スペーサの構成を示す斜視図である。
【図６】図６は、前記被覆貫通クランプ用スペーサを被覆貫通クランプに取り付けた状態における図１のＶＩ−ＶＩ線方向での断面図である。
【図７】図７は、前記被覆貫通クランプ用スペーサを被覆貫通クランプから取り外した状態における図１のＶＩ−ＶＩ線方向での断面図である。
【図８】図８は、細径の電線を狭持した状態の前記被覆貫通クランプ用スペーサ及び前記被覆貫通クランプの構成を示す側面図である。
【図９】図９は、太径の電線を狭持した状態の前記被覆貫通クランプの構成を示す側面図である。
【図１０】図１０は、変形例に係る被覆貫通クランプスペーサを被覆貫通クランプに取り付けた状態の構成を示す側面図である。
【図１１】図１１は、変形例に係る被覆貫通クランプスペーサを被覆貫通クランプに取り付けた状態の構成を示す側面図である。
【図１２】図１２は、変形例に係る被覆貫通クランプスペーサを被覆貫通クランプに取り付けた状態の構成を示す側面図である。
【図１３】図１３は、図１２に示す被覆貫通クランプスペーサの被覆貫通クランプへの取り付けを説明するための側面図である。
【図１４】図１４は、従来のクランプの構成を示す側面図である。
【発明を実施するための形態】
【００１５】
以下、本発明の一実施形態について、図１〜図９を参照しつつ説明する。本実施形態に係る被覆貫通クランプ用スペーサ（以下、「スペーサ」とも称する）は、図１及び図２に示すように、被覆貫通クランプ（以下、「クランプ」とも称する）１に着脱可能である。クランプ１は、電線（例えば、架空電線等）からバイパス線や接地線を引き出すため使用される。具体的に、クランプ１は、電線の径の大きさに応じてスペーサ２を着脱することで、電線の被覆（絶縁被覆）を貫通することにより、電線とバイパス線や接地線とを接続する。
【００１６】
クランプ１は、図１〜図３に示すように、内側に幅広溝１５が設けられた上顎部１０と、幅広溝１５に接近及び離間可能に対向配置されると共に幅広溝１５に接近した状態において幅広溝１５との間で電線を狭持する下顎部１１と、を備える。さらに、クランプ１は、下顎部１１の下方に位置する台座１３と、上顎部１０及び台座１３を連結する連結部１４と、長尺状であり且つ長尺方向における長さを伸縮可能な基台１６と、外部端子を取り付け可能な端子取付部１７と、を備える（図１及び図３参照）。
【００１７】
上顎部１０の内周面１００は、幅広溝１５を規定する第一の内周面１０１と、第一の内周面１０１から外方に延びると共に、下顎部１１との間で幅広溝１５に対して電線を出し入れする出入口１２を形成する第二の内周面１０２と、を含む。本実施形態の上顎部１０の厚み方向における両側面１０７には、凹部１０８が設けられている。本実施形態の第一の内周面１０１は、水平方向における両側にそれぞれ延びる一対の傾斜部位１０３と、一対の傾斜部位１０３から外方にそれぞれ延びる一対の平坦部位１０４と、を有する（図２及び図３参照）。このような第一の内周面１０１の構成により、上顎部１０の幅広溝１５は、上側ほど水平方向における幅がより狭くなるテーパ状の受け部分１０５と、受け部分１０５に対して下方において連続し且つ水平方向における幅が均一である下方延在部分１０６と、を有する。尚、一対の傾斜部位１０３の水平方向における中心は、例えば、第一の内周面１０１の水平方向における中心軸線Ｃ上に位置する。また、一対の傾斜部位１０３同士の境界、及び、傾斜部位１０３と平坦部位１０４との境界は、それぞれ、面取りされている。本実施形態の第二の内周面１０２は、一方の傾斜部位１０３から外方に延びている。
【００１８】
尚、上顎部１０の幅広溝１５が下顎部１１と共に狭持可能な電線の径は、幅広溝１５の水平方向における幅Ｗ１５と等しい或いは小さい寸法であると共に、クランプ１が取り外された状態における出入口１２の幅Ｗ１と等しい或いは小さい寸法である（図３参照）。クランプ１が取り外された状態における出入口１２の幅Ｗ１は、例えば、下顎部１１の上端縁から第二の内周面１０２までの最短距離である。
【００１９】
基台１６は、下顎部１１に接続され且つこの軸方向において進退可能な軸体１６０と、軸体１６０と接続され且つ軸体１６０の軸を中心軸として回転することにより軸体１６０を進退させるノブ１６１と、を有する。
【００２０】
下顎部１１は、幅広溝１５に対して接近及び離間するよう移動可能（図１、図３における上下方向に移動可能）である。下顎部１１は、幅広溝１５に対して接近した状態において、電線３、４に接触可能な接触刃１１１と、接触刃１１１が取り付けられた本体１１２と、本体１１２の両側に接続された一対の板状のカバー１１３と、を有する。本体１１２における接触刃１１１の配置された側と反対側（図１、図３における下側）の端縁に軸体１６０が接続されているため、下顎部１１は、軸体１６０が進退することにより幅広溝１５に対して接近及び離間するよう移動可能である。具体的に、この軸体１６０が進出することにより下顎部１１が上昇する際には、まず、カバー１１３が電線３、４に接触するまで接触刃１１１、本体１１２、及び、カバー１１３が一体的に上昇する。その後、カバー１１３や本体１１２の上下方向における位置が固定されたまま、接触刃１１１が電線３、４に接触して電線３、４の被覆を貫通するまで、接触刃１１１が上昇する（図８及び図９参照）。
【００２１】
カバー１１３の上面１１４は、幅広溝１５に対して最も接近した状態において（電線３、４に接触した状態において）、細径の電線３及び太径の電線４のいずれも安定的に載置すべく、凹形状を有するよう緩やかに湾曲した曲面を有する（図３参照）。本実施形態の上面１１４における上端位置（最も高い箇所）は、上顎部１０の第二の内周面１０２と共に、クランプ１にスペーサ２が取り付けられていない状態における出入口１２の幅Ｗ１を規定している。本実施形態の上面１１４における下端位置（最も低い箇所）は、上面１１４の水平方向における中心に位置すると共に、幅広溝１５の中心軸線Ｃ上に位置している。
【００２２】
接触刃１１１は、端子取付部１７と電気的に接続されているため、電線３、４の被覆を貫通した状態において、電線３、４と端子取付部１７とを電気的に接続する。本実施形態の接触刃１１１は、水平方向において離間して一対設けられている。また、一対の接触刃１１１の水平方向における中心は、幅広溝１５の中心軸線Ｃ上に位置している。
【００２３】
端子取付部１７は、下顎部１１の本体１１２に接続されているため、下顎部１１（本体１１２）の上下方向における移動に伴い、上下方向に移動する。また、端子取付部１７には、バイパス線や接地線が取り付け可能である。そのため、端子取付部１７は、接触刃１１１が電線３、４の被覆（絶縁被覆）を貫通している状態において、電線３、４とバイパス線や接地線とを電気的に接続する。
【００２４】
台座１３の水平方向における中心には、軸体１６０が挿通される孔が設けられている。台座１３の厚み方向における両側面１３０には、凹部１３１が設けられている。
【００２５】
連結部１４の厚み方向における両側面１４０には、凹部１４１が設けられている。連結部１４の凹部１４１の上端は、上顎部１０の両側面１０７の凹部１０８と連続している。連結部１４の凹部１４１の下端は、台座１３の両側面１３０の凹部１３１と連続している。
【００２６】
以上のクランプ１の構成により、下顎部１１が、この上面１１４の水平方向における中心と上顎部１０の第一の内周面１０１の水平方向における中心とが中心軸線Ｃ上に揃った状態で、幅広溝１５に対して接近及び離間するよう移動可能である。
【００２７】
スペーサ２は、クランプ１に固定可能な固定部２０と、固定部２０に接続され、且つ、幅広溝１５よりも幅の狭い幅狭溝２３が設けられた本体部２１と、本体部２１に接続された先端部２２と、を備える（図１及び図２参照）。
【００２８】
固定部２０は、例えば、クランプ１の上顎部１０に固定可能である。具体的に、固定部２０は、固定部２０の一部である固定手段が、上顎部１０の一部に引っ掛かることにより、上顎部１０に固定される（図１及び図４〜図７参照）。本実施形態の固定部２０は、固定手段として、一対の爪部２０１を有する。また、本実施形態の固定部２０は、本体部２１及び一対の爪部２０１にそれぞれ接続された一対の板部２０２と、一対の板部２０２にそれぞれ接続された一対の開閉手段２０３と、を有する。
【００２９】
一対の爪部２０１は、互いに接近及び離間可能に構成され、接近した状態において上顎部１０の両側面１０７に引っ掛かることで、上顎部１０に固定される（図１参照）。具体的に、一対の爪部２０１は、両側面１０７の凹部１０８に嵌合係止するように構成されている。また、一対の爪部２０１は、それぞれ、締結手段（例えば、ボルト）により一対の板部２０２の内側に固定されている。より具体的に、一対の爪部２０１の内周面２０４の一部は、上顎部１０の両側面１０７の凹部１０８に面接触している（図６参照）。
【００３０】
一対の開閉手段２０３は、内側に向かって付勢された付勢手段（例えば、圧縮コイルばね）を含む。そのため、一対の開閉手段２０３は、開閉可能である（互いに接近及び離間可能である）。具体的に、一対の開閉手段２０３は、外側に付勢された状態において開き（互いに離間し、図７参照）、力がかかっていない状態で閉じる（互いに接近する、図６参照）。さらに、一対の開閉手段２０３は、それぞれ、締結手段（例えば、ボルト）により一対の板部２０２の内側に固定されている。一対の板部２０２の内面は、例えば、上顎部１０の両側面１０７のうち凹部１０８を除く部位の一部に面接触している。
【００３１】
以上の構成により、固定部２０は、一対の開閉手段２０３が、外側に引っ張られることにより開くと、一対の板部２０２も外側に開き、一対の爪部２０１も互いに離間した状態になるため、上顎部１０から取り外される（図７参照）。また、固定部２０は、一対の開閉手段２０３が、力がかかっていない状態となり閉じると、一対の板部２０２も内側に閉じ、一対の爪部２０１も互いに接近した状態になり、上顎部１０に取り付けられる（図６参照）。尚、一対の開閉手段２０３は、両側に引っ張られることにより開いてもよいし、一方が固定された状態で他方が外側に引っ張られることにより開いてもよい。
【００３２】
本体部２１は、固定部２０がクランプ１に固定された状態（以下、固定状態とも称する）において、幅狭溝２３が下顎部１１と対向するように、上顎部１０の第一の内周面１０１の内側に配置される（図１参照）。また、本体部２１は、例えば、幅狭溝２３を規定する内周面２３０と、内周面２３０の反対側に設けられる外周面２３１と、を有する（図２参照）。
【００３３】
本体部２１は、上顎部１０の幅広溝１５の中心軸線Ｃとスペーサ２の幅狭溝２３の中心軸線とを合わせる位置決め手段を有する。尚、位置決め手段は、幅広溝１５を規定する第一の内周面１０１に係合することで、幅狭溝２３の水平方向における中心軸線を幅広溝１５の中心軸線Ｃ上に位置するように、幅狭溝２３を位置決めするものである。
【００３４】
具体的に、内周面２３０は、中心軸線Ｃを中心として水平方向における両側にそれぞれ延びる一対の傾斜面２３２と、一対の傾斜面２３２から外方にそれぞれ延びる一対の平坦面２３３と、を有する。このような内周面２３０の構成により、幅狭溝２３は、上側ほど水平方向における幅がより狭くなるテーパ状の受け部分２３５と、受け部分２３５に対して下側において連続し且つ水平方向における幅が均一である下方延在部分２３６と、を有する。尚、一対の傾斜面２３２同士の境界、及び、傾斜面２３２と平坦面２３３との境界は、それぞれ、面取りされている。
【００３５】
本実施形態の外周面２３１は、固定状態において、上顎部１０の内周面１００の少なくとも一部に接触している。具体的に、外周面２３１は、固定状態において、内周面１００の全体（例えば、一対の傾斜部位１０３及び一対の平坦部位１０４のいずれも）に面接触している。このように、本実施形態の外周面２３１は、位置決め手段（幅狭溝２３の水平方向における中心軸線を幅広溝１５の中心軸線Ｃ上となるように、幅狭溝２３を位置決めする位置決め手段）として、一対の傾斜面２３４を有する。この一対の傾斜面２３４のうち出入口１２側に位置する傾斜面２３４は、上顎部１０の内周面１００の一対の傾斜部位１０３のうち出入口１２側に位置する傾斜部位１０３と同じ角度で傾斜している。また、一対の傾斜面２３４のうち出入口１２と反対側に位置する傾斜面２３４は、上顎部１０の内周面１００の一対の傾斜部位１０３のうち出入口１２と反対側に位置する傾斜部位１０３と同じ角度で傾斜している。
【００３６】
先端部２２は、固定状態において、上顎部１０の第二の内周面１０２の延びる方向に延びている。また、先端部２２は、固定状態において、電線の出入口１２を狭くすべく第二の内周面１０２と下顎部１１との間に配置される。本実施形態の先端部２２は、出入口１２側を規定する内周面２２０と、内周面２２０と反対側に位置する外周面２２１と、を有する。外周面２２１は、上顎部１０の第二の内周面１０２に沿った方向に延びると共に、第二の内周面１０２と対向している。これにより、内周面２２０は、少なくとも先端部２２の厚み（上下方向における厚み）分だけ、第二の内周面１０２よりも下方に位置している。
【００３７】
このような先端部２２の構成により、固定状態における出入口１２の幅（上下方向における寸法）Ｗ２は、スペーサ２がクランプ１から取り外された状態（以下、取付状態とも称する）における出入口１２の幅Ｗ１よりも狭くなっている（図１参照）。尚、固定状態における出入口１２の幅Ｗ２と、取り付け状態における出入口１２の幅Ｗ１との差の寸法は、細径の電線３の径Ｗ３（図８参照）よりも大きく、太径の電線４の径Ｗ４（図９参照）よりも小さい。
【００３８】
以上のクランプ１やスペーサ２の構成により、細径の電線３や通常径の電線（電線の径が幅狭溝２３の水平方向における幅及び固定状態における出入口１２の幅Ｗ２のいずれとも等しい或いはいずれよりも小さい電線）は、幅狭溝２３と下顎部１１とにより狭持される（図８参照）。また、太径の電線４（電線の径が、固定状態における出入口１２の幅Ｗ２よりも大きく、且つ、スペーサ２がクランプ１から取り外された状態における出入口の幅Ｗ１と等しい或いはこの幅Ｗ１よりも小さい電線）は、上顎部１０の幅広溝１５と下顎部１１とにより狭持される（図９参照）。
【００３９】
以上のスペーサ２によれば、スペーサ２がクランプ１に取り付けられた状態において、幅狭溝２３が下顎部１１と対向配置されるため、幅狭溝２３に細径の電線３や通常径の電線を安定的に狭持可能である（図８参照）。また、このスペーサ２がクランプ１に取り付けられた状態において、スペーサ２の先端部２２が下顎部１１と上顎部１０の第二の内周面１０２の間において出入口１２を狭くするように配置されるため、出入口１２からの太径の電線４の侵入を抑えることができる。
【００４０】
また、本実施形態のスペーサ２では、スペーサ２における一対の爪部２０１がクランプ１の上顎部１０の両側面１０７に引っ掛かることにより、スペーサ２がクランプ１に安定的に取り付けられる。
【００４１】
さらに、本実施形態のスペーサ２では、上顎部１０の両側面１０７の凹部１０８に一対の爪部２０１がそれぞれ嵌合係止することで、スペーサ２がクランプ１に確実に取り付けられる。
【００４２】
本実施形態のスペーサ２は、上顎部１０の幅広溝１５の中心軸線Ｃとスペーサ２の幅狭溝２３の中心軸線とを合わせる位置決め手段を有するため、スペーサ２を上顎部１０に対して取り付ける際にスペーサ２と上顎部１０との位置決めが適切に行われる。具体的に、スペーサ２の本体部２１の外周面２３１の一対の傾斜面２３４は、上顎部１０の第一の内周面１０１における一対の傾斜部位１０３とそれぞれ等しく傾斜しているため（図２参照）、スペーサ２を上顎部１０に対して取り付ける際にスペーサ２と上顎部１０との位置決めが適切に行われ、スペーサ２の上顎部１０への取り付けが安定する。
【００４３】
また、本実施形態のスペーサ２では、幅狭溝２３は、上側ほど水平方向における幅がより狭くなるテーパ状の受け部分２３５と、受け部分２３５の下側に連続し且つ水平方向における幅が均一である下方延在部分２３６と、を有することにより、幅狭溝２３の下端の水平方向における幅が狭くなっている。そのため、細径の電線３を幅狭溝２３に配置した場合、この電線３が水平方向においてずれにくく、下顎部１１と共にこの電線３をより安定的に狭持できる。
【００４４】
さらに、本実施形態のスペーサ２では、一対の開閉手段２０３が力のかかっていない状態となることにより閉じると、固定部２０は上顎部１０に取り付けられるため、スペーサ２のクランプ１への取り付けの際に締結部材等の部材が必要なく、スペーサ２をクランプ１に対して容易に取り付けることができる。また、このスペーサ２は、一対の開閉手段２０３が外側に付勢されることにより開くと、固定部２０は上顎部１０から取り外されるため、スペーサ２をクランプ１から容易に取り外すことができる。
【００４５】
尚、本発明のスペーサは、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００４６】
例えば、スペーサ２の本体部２１における外周面２３１は、図１０に示すように、一対の傾斜部位１０３のうち一方の傾斜部位１０３のみに面接触していてもよい。先端部２２の外周面２２１は、上顎部１０の第二の内周面１０２と対して大きく離れていてもよい。具体的に、先端部２２の外周面２２１は、第二の内周面１０２に対して空間をあけて下方に配置されていてもよい。また、本体部２１における外周面２３１は、図１１に示すように、一対の傾斜部位１０３のそれぞれにおける一部分に接触していてもよい。このような場合においても、スペーサ２がクランプ１に取り付けられた状態において、幅狭溝２３に細径の電線３を安定的に狭持可能であると共に、出入口１２からの太径の電線４の侵入を抑えることができる。
【００４７】
尚、先端部２２の外周面２２１は、外周面２２１は、第二の内周面１０２と面接触していてもよい。この場合、内周面２２０は、先端部２２の厚み（上下方向における厚み）分だけ、第二の内周面１０２よりも下方に位置することになる。
【００４８】
上記実施形態のスペーサ２では、固定部２０が上顎部１０の厚み方向における両側面１０７に引っ掛かっていたが、上顎部１０の別の箇所に引っ掛かっていてもよい。一対の爪部２０１は、図１２に示すように、上顎部１０の幅広溝１５を規定する内周面１０１に引っ掛かっていてもよい。内周面１０１は、テーパ状の受け部分１０５からさらに上方に延びた上方延在部分１０９を有する。上方延在部分１０９は、円筒形状の空間を規定する。また、上方延在部分１０９は、外側に凹んだ一対の被係止部位１１０を有する。一対の被係止部位１１０は、例えば、水平方向において対向すると共に、半球状に凹んだ空間を規定している。固定部２０は、図１３に示すように、被係止部位１１０と対応する半球形状の一対の爪部２０１と、上方延在部分１０９により規定される空間に対応する円筒形状の円筒部２０５と、一対の爪部２０１のそれぞれと円筒部２０５とを接続する一対の付勢部材２０６と、を有する。円筒部２０５の側面の水平方向における対向する位置には、一対の貫通孔が設けられている。付勢部材２０６は、円筒部２０５に設けられた一対の貫通孔内にそれぞれ配置されている。
【００４９】
固定部２０が上方延在部分１０９により規定される空間に侵入すると、一対の爪部２０１は、内周面１０１により内側に押されて円筒部２０５に設けられた貫通孔内に収納される。このとき、一対の付勢部材２０６は、水平方向における長さが短くなるよう弾性変形することで、外側に向かって付勢されている。さらに、一対の爪部２０１は、上方延在部分１０９の一対の被係止部位１１０に対向する位置に到達すると、付勢部材２０６が付勢力により弾性変形前の形状（弾性変形前の長さ）に戻ることにより、一対の被係止部位１１０内に配置され、この被係止部位１１０に嵌合係止する。この場合においても、上顎部１０の一対の被係止部位１１０に一対の爪部２０１がそれぞれ嵌合係止することで、スペーサ２がクランプ１に確実に取り付けられる。
【００５０】
また、上記実施形態のスペーサ２では、爪部２０１が一対設けられていたが、爪部２０１は、一つ、或いは三つ以上の複数設けられてもよい。尚、スペーサ２の固定手段は、爪部２０１以外に、締結部材（ボルト）や磁石等といった別の固定部材であってもよい。
【符号の説明】
【００５１】
１…被覆貫通クランプ（クランプ）、１０…上顎部、１００…内周面、１０１…第一の内周面、１０２…第二の内周面、１０３…一対の傾斜部位、１０４…一対の平坦部位、１０５…受け部分、１０６…下方延在部分、１０７…両側面、１０８…凹部、１０９…上方延在部分、１１０…被係止部位、１１…下顎部、１１１…接触刃、１１２…本体、１１３…カバー、１１４…上面、１１５…上端位置、１２…出入口、１３…台座、１３０…両側面、１３１…凹部、１４…連結部、１４０…両側面１４０…凹部、１５…幅広溝、１６…基台、１６０…軸体、１６１…ノブ、１７…端子取付部、２…被覆貫通クランプ用スペーサ（スペーサ）、２０…固定部、２０１…一対の爪部、２０２…一対の板部、２０３…一対の開閉手段、２０４…内周面、２０５…円筒部、２０６…付勢部材、２１…本体部、２２…先端部、２２０、２３０…内周面、２２１、２３１…外周面、２３…幅狭溝、２３２、２３４…一対の傾斜面、２３３…一対の平坦面、２３５…受け部分、２３６…下方延在部分、３０１…クランプ、３０２…電線保持板、３１０…電線保持部、３１１…接触刃、３１２…可動接触台、３１３…端子取付部、３１５…凹溝、３２０…ピン、３２３…凹溝、３６１…ノブ、Ｗ１、Ｗ２、Ｗ１５、Ｗ２３…幅、Ｗ３、Ｗ４…径、Ｃ…中心軸線
【図１】
2020004495.tif 000003
【図２】
2020004495.tif 000004
【図３】
2020004495.tif 000005
【図４】
2020004495.tif 000006
【図５】
2020004495.tif 000007
【図６】
2020004495.tif 000008
【図７】
2020004495.tif 000009
【図８】
2020004495.tif 000010
【図９】
2020004495.tif 000011
【図１０】
2020004495.tif 000012
【図１１】
2020004495.tif 000013
【図１２】
2020004495.tif 000014
【図１３】
2020004495.tif 000015
【図１４】
2020004495.tif 000016